【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
印刷媒体を搬送する搬送ベルトと、
前記搬送ベルトに電荷を供給する帯電部と、
印刷媒体の両面のうち前記搬送ベルトに接触している面を接触面とし、前記接触面の反対側の面を印刷面とした場合、前記搬送ベルトに静電吸着されている印刷媒体の前記印刷面に印刷材を付着させる印刷ヘッドと、
前記帯電部よりもベルトの回転方向において下流に配置されており、前記搬送ベルトによって搬送されている印刷媒体に接触可能な位置である除電位置と前記印刷媒体に接触不能な位置である退避位置との間で変位可能であるとともに、前記印刷媒体の前記印刷面に接触することにより前記印刷面から電荷を除去する除電部と、
前記除電部の位置を制御する除電制御装置と、を備え、
前記除電制御装置は、前記搬送ベルトに静電吸着されて搬送される前記印刷媒体が前記除電部と接触可能な位置にあるとき、前記除電部を前記除電位置に配置することを特徴とする印刷装置。
【請求項２】
前記除電制御装置は、印刷対象となる印刷媒体の種類に応じ、前記搬送ベルトによって搬送されている印刷媒体に前記除電部を接触させるか否かを判定し、前記判定結果に基づいて前記除電部の位置を制御することを特徴とする請求項１に記載の印刷装置。
【請求項３】
前記除電制御装置は、前記印刷装置の設置環境の湿度に基づき、前記搬送ベルトによって搬送されている印刷媒体に前記除電部を接触させるか否かを判定し、前記判定結果に基づいて前記除電部の位置を制御することを特徴とする請求項１に記載の印刷装置。
【請求項４】
前記印刷装置の設置環境の温度と湿度とに基づき、印刷対象となる印刷媒体の抵抗値が高くなっているか否かを判定する判定装置を備え、
前記除電制御装置は、
前記判定装置によって印刷媒体の抵抗値が高くなっていると判定されているときには前記除電部を前記除電位置に配置する一方、
前記判定装置によって印刷媒体の抵抗値が低くなっていると判定されているときには前記除電部を前記退避位置に配置することを特徴とする請求項１に記載の印刷装置。
【請求項５】
印刷媒体の両面のうち第１の面への印刷が終了した後に、前記第１の面が前記接触面となるとともに前記第１の面の反対側の面である第２の面が前記印刷面となるように、前記印刷媒体の表裏を反転させて前記印刷媒体を前記搬送ベルト上に導く反転機構を備え、
前記印刷ヘッドは、前記除電位置よりも搬送方向下流に配置されており、
前記除電制御装置は、前記反転機構から前記搬送ベルト上に導かれた印刷媒体の前記第２の面に対して印刷を施すときには前記除電部を前記除電位置に配置することを特徴とする請求項１に記載の印刷装置。
【請求項６】
印刷媒体の両面のうち第１の面への印刷が終了した後に、前記第１の面が前記接触面となるとともに前記第１の面の反対側の面である第２の面が前記印刷面となるように、前記印刷媒体の表裏を反転させて前記印刷媒体を前記搬送ベルト上に導く反転機構を備え、
前記除電制御装置は、
印刷媒体の前記第１の面への印刷によって前記印刷媒体がカールするか否かを判定し、
印刷媒体の前記第１の面への印刷によって前記印刷媒体がカールすると判定しているときには、前記印刷媒体の前記第２の面への印刷に際して前記除電部を前記除電位置に配置する一方、
印刷媒体の前記第１の面への印刷によって前記印刷媒体がカールしないと判定しているときには、前記印刷媒体の前記第２の面への印刷に際して前記除電部を前記退避位置に配置することを特徴とする請求項１に記載の印刷装置。
【請求項７】
印刷媒体の両面のうち第１の面への印刷が終了した後に、前記第１の面が前記接触面となるとともに前記第１の面の反対側の面である第２の面が前記印刷面となるように、前記印刷媒体の表裏を反転させて前記印刷媒体を前記搬送ベルト上に導く反転機構を備え、
印刷媒体は、４つの側辺を有するとともに、２つの前記側辺の接続部分である角を有しており、
印刷媒体の前記第１の面を複数の領域に分割し、前記各領域のうち前記印刷媒体の角を含む領域を判定領域とした場合、
前記除電制御装置は、
前記印刷ヘッドから前記判定領域への印刷材の吐出によって前記判定領域に付着させることのできる印刷材の最大量である最大吐出量を算出し、
印刷媒体の前記第１の面への印刷に採用される印刷データに基づき、前記印刷ヘッドから前記判定領域に吐出される印刷材の量である吐出量を算出し、
前記吐出量の前記最大吐出量に対する割合である吐出割合を算出し、
前記判定領域で前記吐出割合が判定割合未満となるときには、前記印刷媒体の前記第２の面への印刷に際して前記除電部を前記退避位置に配置する一方、
前記判定領域で前記吐出割合が前記判定割合以上となるときには、前記印刷媒体の前記第２の面への印刷に際して前記除電部を前記除電位置に配置することを特徴とする請求項１に記載の印刷装置。
【請求項８】
印刷媒体の両面のうち第１の面への印刷が終了した後に、前記第１の面が前記接触面となるとともに前記第１の面の反対側の面である第２の面が前記印刷面となるように、前記印刷媒体の表裏を反転させて前記印刷媒体を前記搬送ベルト上に導く反転機構を備え、
印刷媒体は、４つの側辺を有するとともに、２つの前記側辺の接続部分である角を有しており、
印刷媒体の前記第１の面を複数の領域に分割し、前記各領域のうち前記印刷媒体の角を含む領域である端部領域と前記端部領域に隣接する領域とで構成される領域を判定領域とした場合、
前記除電制御装置は、
前記印刷ヘッドから前記判定領域への印刷材の吐出によって前記判定領域に付着させることのできる印刷材の最大量である最大吐出量を算出し、
印刷媒体の前記第１の面への印刷に採用される印刷データに基づき、前記印刷ヘッドから前記判定領域に吐出される印刷材の量である吐出量を算出し、
前記吐出量の前記最大吐出量に対する割合である吐出割合を算出し、
前記判定領域で前記吐出割合が判定割合未満となるときには、前記印刷媒体の前記第２の面への印刷に際して前記除電部を前記退避位置に配置する一方、
前記判定領域で前記吐出割合が前記判定割合以上となるときには、前記印刷媒体の前記第２の面への印刷に際して前記除電部を前記除電位置に配置することを特徴とする請求項１に記載の印刷装置。
【請求項９】
印刷媒体の前記第１の面には、１つの前記角を含む前記判定領域が複数設定されるようになっており、
前記除電制御装置は、
全ての前記判定領域で前記吐出割合が前記判定割合未満となるときには、前記印刷媒体の前記第２の面への印刷に際して前記除電部を前記退避位置に配置する一方、
前記各判定領域のうち、少なくとも１つの前記判定領域で前記吐出割合が前記判定割合以上となるときには、前記印刷媒体の前記第２の面への印刷に際して前記除電部を前記除電位置に配置することを特徴とする請求項７又は請求項８に記載の印刷装置。
【請求項１０】
前記除電部が前記除電位置にあって、前記搬送ベルトに静電吸着された前記印刷媒体に対する前記除電部の押圧力を変化可能な押圧力可変機構部を備え、
前記除電制御装置は、前記押圧力可変機構部を用いて、前記吐出割合に応じて前記除電部の前記押圧力を変化させることを特徴とする請求項７から請求項９のうち何れか一項に記載の印刷装置。
【請求項１１】
前記除電制御装置は、印刷媒体の前記第１の面に印刷を施すときには前記除電部を前記退避位置に配置することを特徴とする請求項５から請求項１０のうち何れか一項に記載の印刷装置。
【請求項１２】
前記除電位置よりも搬送方向上流に配置され、印刷媒体を前記搬送ベルトに押し付けるサポートローラーを備え、
前記サポートローラーは、前記搬送ベルトの稼働によって従動回転することを特徴とする請求項１から請求項１１のうち何れか一項に記載の印刷装置。
【請求項１３】
前記サポートローラーは、接地されていることを特徴とする請求項１２に記載の印刷装置。